(57)【特許請求の範囲】
【請求項１】
前面に中高音用または中音用および高音用スピーカを装着して設けられた第１の密閉した空気室と、底面に底面方向に向けて低音用スピーカを装着し、この低音用スピーカの後面に、この低音用スピーカと離間して且つ、後方外部に向けて開口するポートを設けた上記第１の空気室の後方に配置された第２の空気室と、上記低音用スピーカの前面に設けられた第３の空気室と、上記低音用スピーカの前面からの音を放射する上記第３の空気室に設けられたスリットと、上記第１、第２、第３の空気室から隔離され、上記第２の空気室の後方に設けられた後部空気室とこの後部空気室の下方であって、且つ、上記第２の空気室の底部に設けられた底部空気室とからなる第４の空気室と、この第４の空気室の上記底部空気室に電源部を、後方の上記後部空気室に信号増幅部を分離して配置したスピーカ装置。
【発明の詳細な説明】
【０００１】
【発明の属する技術分野】
本発明はパーソナルコンピュータ等の周辺機器として使用される増幅器内蔵（いわゆるアンプ内蔵）のスピーカ装置に関するものである。
【０００２】
【従来の技術】
近年、パーソナルコンピュータは単なる情報処理機器という目的から映像情報処理機器・ゲーム機器としての用途が急速に拡大され一般化してきている。
【０００３】
この状況に伴い、パーソナルコンピュータの周辺機器としてのスピーカ装置も小形（細形）は勿論のこと高音質化が求められてきている。以下に従来のスピーカ装置について図３、図４により説明する。
【０００４】
図３は従来のスピーカ装置をパーソナルコンピュータとともにセッティングした状態の斜視図であり、図４はスピーカ装置の概念を示す側断面図である。
【０００５】
同図によると、１はディスプレイ部１ａ、フロッピーディスクドライブ１ｂ、ＣＤ−ＲＯＭドライブ１ｃを一体に設けたパーソナルコンピュータ本体（以下、パソコン本体と称す）であり、２はこのパソコン本体１に接続されたキーボードである。
【０００６】
３は上記パソコン本体１に設けられた外部音声出力端子（図示せず）に接続された右側スピーカ３ａと左側スピーカ３ｂからなるスピーカ装置であり、パーソナルコンピュータの音質向上を必要とするときに適宜購入接続されるものである。
【０００７】
このスピーカ装置３の構成を右側スピーカ３ａを例に説明すると、４はスピーカであり、外部電源入力端子５に接続された電源部６をベース電源とする信号増幅器７の一方の出力端に接続されている。なお、他方の出力端は左側スピーカ３ｂに接続される外部出力端子８に接続されている。上記信号増幅器７は上記２つの出力端にそれぞれ接続された２系統の信号増幅回路から構成されており、パソコン本体１からのステレオ信号等の２系統の信号を音声入力端子９を経て信号入力されるものである。
【０００８】
１０は内部を密閉したスピーカボックスであり、この密閉したスピーカボックス１０内の空気室１０ａに上記スピーカ４、電源部６、信号増幅器７が装着されている。
【０００９】
なお、左側スピーカ３ｂには右側スピーカ３ａの電源部６、信号増幅器７に相当するものはなく、スピーカとこれに接続された上記外部出力端子８に接続される外部入力端子がスピーカボックス１１に設けられているのみである。
【００１０】
また、上記右側スピーカ３ａの前面にはスピーカ４をオン・オフする電源部６に接続されたスイッチ１２や音量や音質または左右のスピーカ３ａ，３ｂのバランスを調整する上記信号増幅器７に接続された可変抵抗器１３が配置されている。
【００１１】
【発明が解決しようとする課題】
以上のように上記従来のスピーカ装置３は、スピーカ４の装着された空気室１０ａ内に信号増幅器７や電源部６を配置しているため、外部との接続個所やスイッチ１２、可変抵抗器１３等スピーカボックス１０に多数の加工を施すため空気室１０ａを密閉状態とすることは困難であり、音響特性上好ましいものではなかった。
【００１２】
また、音質特性を向上するために空気室１０ａの密閉状態を向上させると、信号増幅器７や電源部６の通電時に発生する熱が放熱せず、蓄熱して信号増幅器７の出力が出せない等の二律背反の課題を有するものであった。
【００１３】
本発明は上記課題を解決して、音響特性に優れた出力の向上の図れる小形のスピーカ装置を提供することを目的とするものである。
【００１４】
【課題を解決するための手段】
上記課題を解決するために本発明のスピーカ装置は、前面に中高音用または中音用および高音用スピーカを装着して設けられた第１の密閉した空気室と、底面に底面方向に向けて低音用スピーカを装着し、この低音用スピーカの後面に、この低音用スピーカと離間して且つ、後方外部に向けて開口するポートを設けた上記第１の空気室の後方に配置された第２の空気室と、上記低音用スピーカの前面に設けられた第３の空気室と、上記低音用スピーカの前面からの音を放射する上記第３の空気室に設けられたスリットと、上記第１、第２、第３の空気室から隔離され、上記第２の空気室の後方に設けられた後部空気室とこの後部空気室の下方であって、且つ、上記第２の空気室の底部に設けられた底部空気室とからなる第４の空気室と、この第４の空気室の上記底部空気室に電源部を、後方の上記後部空気室に信号増幅部を分離して配置したものであり、音響特性に影響を与える電源部や信号増幅部を第４の空気室に集中して、スピーカを装着した空気室とは分離して音響特性への影響を防止するとともに、第４の空気室の下方の底部空気室に電源部を配置し、後方の後部空気室に信号増幅部を配置して電源部と信号増幅部を分離して、信号増幅部への電源部で発生するノイズの影響を防止し、高音質のスピーカ装置を提供するものである。
【００１５】
【発明の実施の形態】
本発明の請求項１に記載の発明は、前面に中高音用または中音用および高音用スピーカを装着して設けられた第１の密閉した空気室と、底面に底面方向に向けて低音用スピーカを装着し、この低音用スピーカの後面に、この低音用スピーカと離間して且つ、後方外部に向けて開口するポートを設けた上記第１の空気室の後方に配置された第２の空気室と、上記低音用スピーカの前面に設けられた第３の空気室と、上記低音用スピーカの前面からの音を放射する上記第３の空気室に設けられたスリットと、上記第１、第２、第３の空気室から隔離され、上記第２の空気室の後方に設けられた後部空気室とこの後部空気室の下方であって、且つ、上記第２の空気室の底部に設けられた底部空気室とからなる第４の空気室と、この第４の空気室の上記底部空気室に電源部を、後方の上記後部空気室に信号増幅部を分離して配置したので、信号増幅部への電源部で発生するノイズの影響を防止し、高音質のスピーカ装置を提供するものである。
【００１９】
以下、本発明のスピーカ装置の一実施の形態について図１、図２により説明する。
【００２０】
図１は本発明のスピーカ装置の一実施の形態である信号増幅部を内蔵したスピーカ装置の概要を示す側断面図であり、図２は同分解斜視図である。
【００２１】
同図によると、２０はスピーカボックスであり、スピーカボックス本体２１ａ、前部スピーカボックス２１ｂ、後部スピーカボックス２１ｃから形成されており、スピーカボックス本体２１ａに前部スピーカボックス２１ｂを装着するとともに、この前部スピーカボックス２１ｂに（後述する）スピーカを装着することによって密閉した第１の空気室２２ａを形成し、スピーカボックス本体２１ａに後部スピーカボックス２１ｃを装着することによって第４の空気室２２ｄの後部空気室を形成している。
【００２２】
なお、第２の空気室２２ｂは（後述する）スピーカを取付けた底バッフル板２１ｄをスピーカボックス本体２１ａの内側底部に装着することによって形成されている。
【００２３】
また、第３の空気室２２ｃは、スピーカボックス本体２１ａに前部スピーカボックス２１ｂと後部スピーカボックス２１ｃを装着した後、底板２１ｅを装着して形成されている。
【００２４】
次に、このスピーカボックス２０内の詳細について説明すると、２３は細長のトラック形状の中音用スピーカであり、２４は高音用スピーカである。これらのスピーカは前部スピーカボックス２１ｂの前面に装着されており、この中音用スピーカ２３と高音用スピーカ２４が前部スピーカボックス２１ｂの前面に装着された後、この前部スピーカボックス２１ｂをスピーカボックス本体２１ａにネジ２１ｆで装着することによって第１の空気室は密閉空間として形成され、中音用スピーカ２３と高音用スピーカ２４の密閉箱として機能し、これらスピーカの背面の音を遮断して極めて良好な音響特性が得られることになる。
【００２５】
２５は低音用スピーカであり、底バッフル板２１ｄに装着されてスピーカボックス２０の内底部に装着することによって第２の空気室２２ｂを形成するとともに、スピーカボックス２０の底部に底板２１ｅを装着することによって低音用スピーカ２５の前面に第３の空気室２２ｃが形成されることになる。
【００２６】
この第３の空気室２２ｃの両側には低音用スピーカ２５の前面からの音を放射するスリット２６が設けられるとともに、第２の空気室２２ｂには上記低音用スピーカ２５から離間して上部に第１のポート部２６ａが設けられ、後部スピーカボックス２１ｃに設けられた第２のポート部２６ｂとでスピーカボックス本体２１ａに後部スピーカボックス２１ｃを装着したとき一体のポート部２６ｃを形成するものである。なお、このポート部２６ｃの位置は、低音用スピーカ２５の前面からの放射音とこのポート部２６ｃからの放射音の干渉（逆位相となっている）を防止するため、低音用スピーカ２５からできるだけ離間した位置に設けることが望ましい。
【００２７】
第４の空気室２２ｄはスピーカボックス本体２１ａに後部スピーカボックス２１ｃを装着することによって後部空気室を形成し、上述した底板２１ｅを装着することによって第３の空気室２２ｃとともに、第４の空気室２２ｄの底部空気室を形成している。
【００２８】
上記第４の空気室２２ｄの底部空気室には電源部２７が設けられ、第４の空気室２２ｄの後部空気室には上記電源部２７からベース電圧が供給され、外部からの音声入力信号を増幅して上記高音用スピーカ２４・中音用スピーカ２３・低音用スピーカ２５に供給する信号増幅部２８が配置されている。この信号増幅部２８には従来技術と同様他のスピーカボックス（図示せず）のスピーカに増幅した信号を供給できるよう入出力２系統の信号増幅回路を有している。
【００２９】
以上のように第２の空気室２２ｂの底部にあたる第４の空気室２２ｄの底部空気室に電源部２７を設け、第２の空気室２２ｂの後方にあたる第４の空気室２２ｄの後部空気室に信号増幅部２８を設けて両者を分離したので、信号増幅部２８への電源部２７で発生するノイズの影響を防止できる。
【００３０】
また、信号増幅部２８はスピーカの配置された空気室とは異なる第４の空気室２２ｄに設けられたので、後部スピーカボックス２１ｃの上方に設けられた複数の放熱孔２９は、音響特性に関係なく主として見栄え・塵埃の侵入防止を考慮した上で冷却性能によって適宜形状寸法・数量を決めることができ、冷却性能を向上してスピーカ装置の出力の向上を図ることができるものである。
【００３１】
なお、信号増幅部２８は回路基板２８ａ上に搭載された種々の電子部品（図示せず）と出力用トランジスタまたは出力用集積回路（図示せず）とこの出力用トランジスタまたは出力用集積回路に装着されたヒートシンク２８ｂで構成され、取付金具２８ｃによりスピーカボックス本体２１ａに密着させずに立てるようにビス２８ｄで装着されている。従って、信号増幅部２８としての放熱はスピーカボックス２０を介して行われるところは少なく、スピーカボックス２０の後部からの空気中への放熱が主となる。
【００３２】
また、ヒートシンク２８ｂは谷・山部分が上下方向に設けられているため、第４の空気室２２ｄの空気の対流方向と合致して放熱効果をより効率よく行えるものである。
【００３３】
３０は操作部であり、図示しないが電源部２７をオンオフするスイッチやスピーカボックス２０と図示しない一対となる他のスピーカボックスのバランスや音量や音質を調整する上記信号増幅部２８に接続された可変抵抗器が配置されている。
【００３４】
なお、上記実施の形態における他のスピーカボックスと上記実施の形態で詳述したスピーカボックス２０の電気的接続に関しては従来技術と同様であるので説明は省略するが、構造においても操作部３０、電源部２７、信号増幅部２８が削除されている以外はほぼ同一の構成となっており、特に第１の空気室、第２の空気室、第３の空気室は上記実施の形態のものと同一の形状、寸法とすることによって音響特性の同一化を図ることができるものであり、この両者を一対としてスピーカ装置を構成する場合は部品点数の削減を図れるという利益も享受できるものである。
【００３５】
【発明の効果】
以上のように本発明のスピーカ装置は、第４の空気室の底部空気室に電源部を、後部空気室に信号増幅部を配置して、電源部と信号増幅部を分離して、信号増幅部への電源部で発生するノイズへの影響をも防止し、高音質のスピーカ装置の提供を可能としたものである。
【図面の簡単な説明】
【図１】本発明のスピーカ装置の一実施の形態である信号増幅部を内蔵したスピーカ装置の概要を示す側断面図
【図２】同分解斜視図
【図３】従来のスピーカ装置をパーソナルコンピュータとともにセッティングした状態の斜視図
【図４】同スピーカ装置の概念を示す側断面図
【符号の説明】
２２ａ  第１の空気室
２２ｂ  第２の空気室
２２ｃ  第３の空気室
２２ｄ  第４の空気室
２３  中音用スピーカ
２４  高音用スピーカ
２５  低音用スピーカ
２６  スリット
２７  電源部
２８  信号増幅部
２８ｂ  ヒートシンク
２９  放熱孔
【図１】
0004128242.tif 000002
【図２】
0004128242.tif 000003
【図３】
0004128242.tif 000004
【図４】
0004128242.tif 000005